(57)【要約】【課題】コイルフィルタを用いた濾過装置において、処理量のわりに設置面積を小さくでき、且つ洗浄時に懸濁物の排出を効率よく行ないうる濾過装置を提供することを課題とする。【解決手段】本発明の濾過装置は、上下方向に配置され且つ並列に接続された複数のコイルフィルタと、前記複数のコイルフィルタを同一収容部に収納する容器と、前記上下に配置されたコイルフィルタの間において前記容器の側方の内周面との間に隙間を有するように配置され、且つ前記容器の側方の内周面に向かって下方に傾斜する面を有する傾斜板とを備えたことを特徴とする。【選択図】  図１
2013078745.tif 000002
【特許請求の範囲】
【請求項１】
上下方向に配置された複数のコイルフィルタと、
前記複数のコイルフィルタを同一収容部に収納する容器と、
前記上下方向に配置されたコイルフィルタの間において前記容器の側方の内周面との間に隙間を有するように配置され、且つ前記容器の側方の内周面に向かって下方に傾斜する面を有する傾斜板と、
を備えたことを特徴とする濾過装置。
【請求項２】
前記上下方向に配置されたコイルフィルタのうちの下方のコイルフィルイタの上部に、前記下方のコイルフィルタにより濾過された処理水を集水する集水部材が配置されており、前記集水部材の上部が前記傾斜板として形成されている請求項１に記載の濾過装置。
【請求項３】
前記傾斜板と対向する位置もしくはそれより上方の位置であって且つ前記容器の側方の内周面から前記容器の中央部に向かって突出された気体分散体を備えた請求項１または２に記載の濾過装置。
【請求項４】
前記複数のコイルフィルタが横方向に配置されたコイルフィルタ部を備え、
前記コイルフィルタ部が上下方向に複数の段を成して配置されており、
前記傾斜板が、上下方向に配置された前記コイルフィルタ部の間に備えられている請求項１乃至３のいずれか一項に記載の濾過装置。
【発明の詳細な説明】
【技術分野】
【０００１】
本発明は、濾過装置に関する。
【背景技術】
【０００２】
排水、上下水、その他の液体中の懸濁物を除去する装置として、各種濾過材を用いて濾過する濾過装置が用いられている。
かかる濾過装置として、例えば、特許文献１および特許文献２には、濾過材としてコイルフィルタを備えた濾過装置が記載されている。
【０００３】
前記コイルフィルタは、金属製などの線状の部材を隙間なくコイル状に巻回したものであり、かかるコイルフィルタを用いた濾過装置においては、容器内に前記コイルフィルタが複数本吊り下げられた状態で収納されている。
【０００４】
このような濾過装置は、前記コイルフィルタの外側からコイルフィルタの内側、すなわち、コイルフィルタによって形成されたコイル体の内部の空間部側、へ被処理水を線状の部材の隙間から通過させることで、被処理水中の懸濁物を除去することができる。
また、このような濾過装置においては、コイルフィルタの内側に通過させた処理水は、コイルフィルタの一端部から処理水として排出される。
【０００５】
前記のようなコイルフィルタは、被処理水を処理すると、コイルフィルタの被処理水導入側の表面に懸濁物が付着していくため、連続して処理を行うためには定期的にコイルフィルタを洗浄する必要がある。
かかるコイルフィルタの洗浄では、前記コイルフィルタの処理水排出側から被処理水導入側に向かって洗浄水を通水させる、いわゆる逆洗浄を行うことで、コイルフィルタの外面から懸濁物を除去する。
かかる逆洗浄によってコイルフィルタから除去された懸濁物は、濾過装置内部において自重によって下方に沈降するため、かかる懸濁物を濾過装置から排出するためには、濾過装置の下方に懸濁物を排出するための排出口が設けられている（特許文献２）。
【０００６】
一方、濾過装置において、処理量を増やすためには、複数のコイルフィルタを同一容器内に配置して、濾過面積を増加することが考えられる。
しかしながら、複数のコイルフィルタを同一容器内に配置する場合に、コイルフィルタを水平方向に配置すると装置全体の設置面積が大きくなり、好ましくない。
【０００７】
装置の設置面積を小さくするためには、同一容器内に、複数のコイルフィルタを上下方向に配置することが考えられる。
しかし、上下方向に複数のコイルフィルタを配置した場合、前記のような洗浄時において、懸濁物は容器内の上方から下方に流動するため、下方のコイルフィルタに懸濁物が付着する等して懸濁物の下方への流動が下方のコイルフィルタによって阻止されるおそれがある。従って、懸濁物が効率よく排出されないおそれがある。
【０００８】
特に、前記のようなコイルフィルタには、濾過精度を向上させるためにコイルフィルタの外面に珪藻土などを含む濾過助剤を付着させる場合がある。
かかる濾過助剤をコイルフィルタに付着させた場合には、洗浄時には、懸濁物と共に濾過助剤もコイルフィルタから除去されるため、容器内から濾過助剤が付着した状態の懸濁物を排出する必要がある。
よって、排出する懸濁物の量が多くなるため、仮にコイルフィルタを上下方向に配置すると、特に、懸濁物が排出されにくくなる。
【先行技術文献】
【特許文献】
【０００９】
【特許文献１】特開平０７−１０６０８号公報
【特許文献２】特開２００６−２７２２５１号公報
【発明の概要】
【発明が解決しようとする課題】
【００１０】
そこで、本発明は、上記問題点に鑑み、コイルフィルタを用いた濾過装置において、処理量のわりに設置面積を小さくでき、且つ洗浄時に懸濁物の排出を効率よく行ないうる濾過装置を提供することを課題とする。
【課題を解決するための手段】
【００１１】
本発明に係る濾過装置は、上下方向に配置された複数のコイルフィルタと、前記複数のコイルフィルタを同一収容部に収納する容器と、前記上下方向に配置されたコイルフィルタの間において前記容器の側方の内周面との間に隙間を有するように配置され、且つ前記容器の側方の内周面に向かって下方に傾斜する面を有する傾斜板とを備えたことを特徴とする。
【００１２】
かかる構成によれば、同一容器内に上下方向に配置されたコイルフィルタを洗浄する場合に、上方に配置されたコイルフィルタから除去された懸濁物は、該コイルフィルタの下方に配置されたコイルフィルタとの間に配置された前記のような傾斜板によって、前記下方のコイルフィルタに付着することなく下方へ移動されうる。
よって、容器から懸濁物は効率よく排出されうる。
【００１３】
本発明においては、前記上下方向に配置されたコイルフィルタのうちの下方のコイルフィルタの上部に、前記下方のコイルフィルタにより濾過された処理水を集水する集水部材が配置されており、前記集水部材の上部が前記傾斜板として形成されていることが好ましい。
【００１４】
かかる場合には、前記傾斜板と集水部材とを別々に設ける必要がなく、よって、濾過装置はさらに小型化されうる。
【００１５】
本発明においては、前記傾斜板と対向する位置もしくはそれより上方の位置であって、前記容器の側方の内周面から前記容器の中央部に向かって突出された気体分散体が備えられていることが好ましい。
【００１６】
かかる場合には、容器内に洗浄等の目的で気体を容器の下方から導入する場合に、気体が前記気体分散体と前記傾斜板との間を流れることによって、容器の内周面側に気体が集中せずに上方のコイルフィルタ側に均一に気体は誘導されうる。
【００１７】
本発明においては、前記複数のコイルフィルタが横方向に配置されたコイルフィルタ部を備え、前記コイルフィルタ部が上下方向に複数の段を成して配置されており、前記傾斜板が、上下方向に配置された前記コイルフィルタ部の間に備えられていることが好ましい。
【００１８】
かかる場合には、複数のコイルフィルタが横方向に配置された前記コイルフィルタ部を上下方向に段をなすように配置することでさらに処理量を多くすることが可能となる濾過装置において、上方のコイルフィルタ部と下方のコイルフィルタ部との間に備えられた前記傾斜板によって、上方のコイルフィルタ部から除去された懸濁物が、下方に配置されたコイルフィルタ部のコイルフィルタに付着することを阻止でき、懸濁物を容器から効率よく排出することが可能となる。
【発明の効果】
【００１９】
本発明によれば、コイルフィルタを用いた濾過装置において処理量のわりには設置面積を小さくでき、且つ洗浄時に懸濁物を効率よく排出しうる。
【図面の簡単な説明】
【００２０】
【図１】本発明の一実施形態に係る濾過装置の一部を示す断面図。
【図２】本発明の一実施形態に係る濾過装置を示す模式図。
【図３】（ａ）本発明の他の実施形態に係る濾過装置の一部を示す断面図、（ｂ）本発明の他の実施形態に係る濾過装置の一部を示す一部断面図。
【発明を実施するための形態】
【００２１】
以下、添付図面を参照しつつ、本発明の実施形態について説明する。
【００２２】
以下、本実施形態にかかる濾過装置１０について、図１および図２を参照しつつ説明する。
本実施形態の濾過装置１０は、上下方向に配置され且つ並列に接続された複数のコイルフィルタと、前記複数のコイルフィルタを同一収容部に収納する容器１１と、前記上下に配置されたコイルフィルタの間において前記容器１１の側方の内周面１１ａとの間に隙間を有するように配置され、且つ前記容器の側方の内周面に向かって下方に傾斜する面を有する傾斜板とを備えた濾過器１を含む。
【００２３】
前記濾過器１は、被処理水が貯留されている被処理水槽２０から導入される被処理水を、前記複数のコイルフィルタで懸濁物を濾過して処理水とする濾過器である。
【００２４】
前記濾過器１は、前記容器１１内部の上方と下方との２箇所（２段）に、それぞれ複数のコイルフィルタが横方向に配置された第一、第二コイルフィルタ部１ａ、１ｂを備えている。
すなわち、下方に配置された第一コイルフィルタ部１ａと、該第一コイルフィルタ部１ａの上方に配置された第二コイルフィルタ部１ｂとが、前記容器１１内の同一の収容部内に段をなして上下に収納されている。
【００２５】
前記容器１１は略円筒形状であって、該容器１１の下部には被処理水を導入する被処理水導入口１２および逆洗浄水排出口１３が開口している。
前記容器１１の上部には、各コイルフィルタで処理された処理水を排出する処理水排出口１４が開口している。
【００２６】
本実施形態で用いられるコイルフィルタとしては、ステンレスなどの金属製線状部材が隙間なく密着した状態でコイル状に巻回されたコイルフィルタ等、従来公知のコイルフィルタが用いられる。
前記コイルフィルタは、濾過時には前記のように線状部材が密着した状態で巻回されており、コイルフィルタを洗浄する時には、前記線状部材の密着は緩められ、線状部材同士に隙間を生じさせうるように構成されている。
【００２７】
前記コイルフィルタには、必要に応じて、濾過助剤を付着させておいてもよい。
前記濾過助剤としては、前記コイルフィルタの表面に付着して濾過精度を向上させうる公知の濾過助剤を使用することができる。
例えば、ケイソウ土、ケイソウにパルプ粉末や活性炭などの粉末を混合したものなどの公知の濾過助剤の中から濾過する被処理水に含まれる懸濁物の種類や、目的とする濾過精度に合わせて適宜選択することができる。
【００２８】
前記第一、第二コイルフィルタ部１ａ、１ｂにおいて、各コイルフィルタは、それぞれ第一、第二コイルフィルタ部１ａ、１ｂの上部に備えられた円板形状の上部固定部１９ａ、１９ｂに、各コイルフィルタの上端が開口する状態で固定されている。
前記各上部固定部１９ａ、１９ｂの上方には、各コイルフィルタで濾過処理された処理水が集水される第一集水部１５ａ、第二集水部１５ｂが形成されている。
【００２９】
前記第二集水部１５ｂには、前記処理水排出口１４が開口している。
【００３０】
前記第一、第二コイルフィルタ部１ａ、１ｂが備えているコイルフィルタの本数は特に限定されるものではないが、本実施形態では、第一コイルフィルタ部１ａは１９本のコイルフィルタを備え、第二コイルフィルタ部１ｂは１８本のコイルフィルタを備えている。
【００３１】
第二コイルフィルタ部１ｂの中央部には、コイルフィルタの代わりに、前記第一コイルフィルタ部１ａで処理された処理水を前記第二集水部１５ｂへ移送する集水管１６が配置されている。
従って、第二コイルフィルタ部１ｂのコイルフィルタは、第一コイルフィルタ部１ａのコイルフィルタよりも１本少なく配置されている。
【００３２】
前記第一コイルフィルタ部１ａの上部には、前記第一集水部１５ａの上方を閉塞するように集水部材１７が取り付けられている。
前記集水部材１７は上部に逆円錐形状の上面板２を有している。
すなわち、前記集水部材１７の上面板２は、容器１１の中央部から容器の側方の内周面１１ａに向かって下方に傾斜する面として集水部材１７に形成されており、本実施形態の濾過装置においては、かかる上面板２が前記傾斜板として形成されている。
【００３３】
前記上面板２は、前記第一コイルフィルタ部１ａの上面部を被覆し、且つ、前記容器１１の側方の内周面１１ａとは接触しない大きさに構成されている。
すなわち、前記上面板２と前記容器１１の側方の内周面１１ａとの間には、水流が生じる程度の隙間が形成される。
【００３４】
前記集水管１６の下端は、前記集水部材１７の上端に開口している。
すなわち、前記第一集水部１５ａは、前記第一コイルフィルタ部１ａのコイルフィルタが固定されている上部固定部１９ａと、前記集水部材１７とに囲まれている空間部であって、且つ前記集水管１６を介して前記第二集水部１５ｂと連通されている。
【００３５】
本実施形態の濾過装置１０には、必要に応じて、気体分散体１８が備えられていてもよい。
前記気体分散体１８は、前記容器１１の側方の内周面１１ａであって、前記集水部材１７と対向する位置もしくはそれより上方の位置であって前記容器１１の側方の内周面から前記容器１１の中央部に向かって突出するように構成されている。
本実施形態においては、前記気体分散体１８は、前記容器１１の側方の内周面１１ａであって、前記集水部材１７と対向する位置に備えられている。
【００３６】
前記気体分散体１８は、容器１１の上面から見た場合に、中央部に上下方向に開口する開口部を備えた環状体であり、前記気体分散体１８の上面１８ａは、前記容器１１の内周面１１ａに向かって上方に傾斜している。
前記気体分散体の下面１８ｂは、前記容器１１の内周面１１ａから中央部に向かって上方に傾斜している。
前記前記気体分散体１８の下面１８ｂと、前記集水部材１７の前記上面板２とは、間に水流が形成されうる程度の間隙を有して対向するように、前記気体分散体１８は前記容器１１内に配置されている。
【００３７】
本実施形態の濾過装置１０は、前記のような構成からなる濾過器１と、該濾過器１に、図２に示すような各種配管を配して接続された被処理水槽２０と、処理水槽３０と、濾過助剤槽４０と、エア供給タンク５０とから構成されている。
具体的には、本実施形態の濾過装置１０は以下のような構成である。
【００３８】
前記被処理水槽２０と前記濾過器１とは、前記被処理水導経路５１を介して接続されている。
前記被処理水導入経路５１は、前記被処理水導入口１２に接続された導入経路５２に接続されており、該被処理水導入経路５１には開閉弁Ｖ１が取り付けられている。
前記導入経路５２には開閉弁Ｖ２が取り付けられている。
【００３９】
前記濾過助剤槽４０と前記濾過器１とは、濾過助剤導入経路５３を介して接続されている。
前記濾過助剤導入経路５３は前記導入経路５２に接続されており、本実施形態の濾過装置１０は、前記濾過助剤導入経路５３に取り付けられた開閉弁Ｖ３と、前記被処理水導入経路５１に取り付けられた開閉弁Ｖ１によって、被処理水を導入する流れと、濾過助剤を導入する流れとを切り替え可能に構成されている。
【００４０】
前記処理水槽３０と前記濾過器１とは、処理水排出経路５４を介して接続されている。
前記処理水排出経路５４は、前記濾過器１の前記処理水排出口１４に接続されており、該処理水排出経路５４には開閉弁Ｖ４が取り付けられている。
【００４１】
前記処理水排出経路５４には、前記濾過助剤槽４０に接続されたプリコート水循環経路５５が接続されている。
該プリコート水循環経路５５には開閉弁Ｖ５が取り付けられており、本実施形態の濾過装置１０は、前記処理水排出経路５４に取り付けられた開閉弁Ｖ４と前記プリコート水循環経路５５に取り付けられた開閉弁Ｖ５によって、処理水を濾過装置１０外へ排出する流れと、処理水を濾過助剤槽４０に移送する流れとを切り替え可能に構成されている。
【００４２】
前記処理水槽３０と前記濾過器１とは、前記処理水排出口１４に接続された逆洗浄水導入経路５６を介しても接続されている。
前記逆洗浄水導入経路５６には開閉弁Ｖ６a、Ｖ６ｂが取り付けられている。
本実施形態の濾過装置１０は、前記逆洗浄水導入経路５６に取り付けられたＶ６a、Ｖ６ｂと、前記処理水排出経路５４に取り付けられた開閉弁Ｖ４によって、逆洗浄水を導入する流れと、処理水を排出する流れとが切り替え可能に構成されている。
【００４３】
前記濾過器１の前記逆洗浄水排出口１３には逆洗浄水排出経路５７が接続されている。
前記逆洗浄水排出経路５７には開閉弁Ｖ７が取り付けられており、前記逆洗浄水排出経路５７は濾過器１から逆洗浄水を排水として排出する。
前記逆洗浄水排出経路５７には前記エア供給タンク５０から気体としてのエアを供給する、開閉弁Ｖ８が取付けられたエア導入経路５８が接続されている。
本実施形態の濾過装置１０は、前記逆洗浄水排出経路５７に取り付けられた開閉弁Ｖ７と、前記エア導入経路５８に取り付けられた開閉弁Ｖ８によって、逆洗浄水を排出する流れと、エアを前記濾過器１内に導入する流れとが切り替え可能に構成されている。
【００４４】
次に前記のような構成からなる濾過装置１０を用いて濾過を行う濾過方法について説明する。
【００４５】
《プリコート工程》
本実施形態の濾過方法では、必要に応じて、前記第一、第二コイルフィルタ部１ａ、１ｂの各コイルフィルタに、前記濾過助剤を付着させるプリコート工程を実施しうる。
かかるプリコート工程においては、前記濾過助剤槽４０から、前記濾過助剤導入経路５３を介して、前記濾過器１に前記濾過助剤を前記被処理水導入口１２から導入する。
プリコート工程では、前記濾過助剤導入経路５３に取り付けられた開閉弁Ｖ３、Ｖ２、および前記プリコート水循環経路５５に取り付けられた開閉弁Ｖ５を開き、その他の開閉弁は閉鎖する。
前記濾過助剤は、前記濾過器１内を下方から上方に向かって流れ、各コイルフィルタの表面に付着する。
【００４６】
尚、前記プリコート工程は、必要に応じて、濾過装置の使用開始時、および、濾過工程と濾過工程との間の待機時などにおいて随時行ないうる。
【００４７】
《濾過工程》
次に、被処理水を前記濾過器１の各コイルフィルタで濾過して処理水を得る濾過工程を実施する。
濾過工程を実施する場合には、前記被処理水導入経路５１に取り付けられた開閉弁Ｖ１、前記導入経路５２に取り付けられた開閉弁Ｖ２および前記処理水排出経路５４の開閉弁Ｖ４を開け、その他の経路の開閉弁Ｖ３、Ｖ５乃至Ｖ８は閉じる。
前記被処理水槽２０からポンプＰ１によって被処理水を前記被処理水導入経路５１および前記導入経路５２を介して、前記被処理水導入口１２から前記濾過器１内へ導入する。
前記濾過器１では、導入された被処理水を第一コイルフィルタ部１ａおよび第二コイルフィルタ部１ｂの各コイルフィルタの外側から内側へ通水させて懸濁物を除去する。
第一コイルフィルタ１ａで懸濁物が除去された処理水は、前記集水部１５ａから前記集水管１６を経て、第二集水部１５ｂへ移送される。
第二コイルフィルタ部１ｂでも各コイルフィルタで濾過し、濾過された処理水は、前記第二集水部１５ｂに処理水として集水される。
すなわち、第一、第二コイルフィルタ部１ａ、１ｂで処理された処理水は、第二集水部１５ｂに集水され、該第二集水部１５ｂに開口された前記処理水排出口１４から前記処理水排出経路５４を介して前記処理水槽３０に移送する。
【００４８】
《洗浄工程》
次に、前記第一、第二コイルフィルタ部の各コイルフィルタを洗浄する洗浄工程を実施する。
本実施形態の洗浄工程では、エアによってコイルフィルタに付着した懸濁物をコイルフィルタから分離するエア洗浄工程と、洗浄水を処理水側から被処理水側に通過させて該洗浄水によって懸濁物をさらに確実に除去する水逆洗浄工程とを実施する。
【００４９】
＜エア洗浄工程＞
エア洗浄工程を実施する場合には、まず開閉弁Ｖ６b、Ｖ２、Ｖ５を開け、その他の経路に取り付けられた開閉弁は閉じる。
前記処理水槽３０からポンプＰ１によって前記導入経路５２を介して、処理水を、前記容器１１の前記被処理水導入口１２から、前記容器１１内に導入する。  前記容器の８割程度まで処理水が導入されたら、ポンプを停止し、開閉弁Ｖ２、Ｖ６ｂを閉じる。
次に、前記エア導入経路５８から前記逆洗浄水排出経路５７にエアを導入する。前記逆洗浄水排出経路５７から、前記容器１１の前記逆洗浄水排出口１３を介して容器１１内にエアを送り込む。
【００５０】
容器内に導入されたエアは下方から上方に向かって流れて、下方の第一コイルフィルタ部１ａのコイルフィルタ表面に当たり、かかるエアによってコイルフィルタ表面に付着した懸濁物が剥がれ落ちる。
エアは第一コイルフィルタ１ａの上方に向かって流れ、前記集水部材１７付近の位置においては、前記集水部材１７の上面板２と、前記気体分散体１８の下面１８ｂの間に形成された間隙を通り、さらに、上方の第二コイルフィルタ部１ｂ側に誘導される。
【００５１】
エアは、下方の第一コイルフィルタ部１ａが存在するため、前記容器１１の下部においては、前記容器１１の側方の内周面と前記下方の第一コイルフィルタ部１ａとの間を通過する。従って、エアは下方の第一コイルフィルタ部１ａの側部においては前記容器１１の周囲に集中する。
しかし、前記前記気体分散体１８および前記集水部材１７の上面板２によって、エアは、第一コイルフィルタ部１ａより上方においては、容器１１の中央部に向かって誘導されうる。
従って、第一コイルフィルタ部１ａの上方においては、容器の周囲のみにエアが集中することなく均一にエアが分散する。
上記第二コイルフィルタ部１ｂにおいても、前記気体分散体１８で拡散されたエアはコイルフィルタから懸濁物を剥離する。
【００５２】
尚、エア洗浄時には、前記処理水移送経路５５から濾過助剤槽４０へ、濾過器１内部に貯留していた被処理水を移送してもよい。
【００５３】
＜水逆洗浄工程＞
水逆洗浄工程を実施する場合には、前記逆洗浄水導入経路５６の開閉弁Ｖ６ａ、Ｖ６ｂ及び前記逆洗浄水排出経路５７の開閉弁Ｖ７を開け、その他の経路の開閉弁は閉じる。
【００５４】
前記逆洗浄水導入経路５６を介して前記処理水槽３０から処理水を逆洗浄水として前記濾過器１へ移送し、前記処理水排出口１４から前記濾過器１内部に前記逆洗浄水を導入する。
逆洗浄水は、各集水部１５ａ、１５ｂから各コイルフィルタの内部に導入されて、コイルフィルタの内部から外側に向かって流れる。すなわち、濾過の被処理水と逆の流れで流れる。かかる逆洗浄水の流れによって、前記エア洗浄によってコイルフィルタに残留した懸濁物を流し落とすことで、洗浄の仕上げをすることができる。
第二コイルフィルタ部１ｂのコイルフィルタから剥がれ落ちた懸濁物は、下方に落下する。第一コイルフィルタ部１ａの上部には、前記集水部材１７の逆円錐形状の上面板２が配置されているため、懸濁物が前記上面板２の上に載った場合でも、上面板２の下方に傾斜する面によって懸濁物が下方に落下されやすい。
よって、懸濁物は第一コイルフィルタ部１ａに付着することなく、下方に流動され、前記逆洗浄水排出経路５７から効率よく排出されうる。
【００５５】
尚、前記実施形態では、第一コイルフィルタ部１ａの上部に取り付けられた集水部材１７の逆円錐形状の上面板２を傾斜板として用いたが、集水部材の上面板を傾斜板とすることには限られない。
例えば、図３（ａ）に示すように、第一コイルフィルタ部１ａと、第二コイルフィルタ部１ｂとの間に、集水部材とは別部材からなり、容器１１の側方の内周面１１ａに向かって下方に傾斜する、傘状の傾斜板２’を備えた濾過器であってもよい。
【００５６】
また、前記実施形態の濾過器は、容器の側方の内周面であって、前記集水部材の上面板と対向する位置に容器の中央部に向かって突出するように構成されている気体分散体を備えているが、気体分散体が備えられている位置は、前記のように傾斜板と対向する位置であることには限られない。
例えば、傾斜板よりも上方の容器の内周面に気体分散体が備えられていてもよい。
【００５７】
また、前記実施形態の濾過器は、下面が前記容器の内周面から中央部に向かって上方に傾斜する面であり、上面が前記容器の中央部から内周面に向かって上方に傾斜する面であるような気体分散体を備えているが、気体分散体の形状はかかる形状に限られない。
例えば、図３（ｂ）に示すように、上面視環状の板状体を、容器中央部に向かって上方に傾斜するように容器周面１１ａから突出させた気体分散体１８’’と、容器中央部から容器の内周面に向かって上方に傾斜するように容器周面１１ａから突出させた気体分散体１８’’’とを上下方向に配置した、２つの部材からなる気体分散体であってもよく、あるいは、これらの部材のうち、いずれか一方からなる気体分散体であってもよい。
【００５８】
また、前記気体分散体が前記容器の内周面の全周にわたって連続している環状体であることにも限定されず、容器の内周面の全周のうちの一部において突出されている気体分散体であってもよい。
さらには、本発明の濾過器は、気体分散体が備えられていることにも限定されない。
【００５９】
さらに、前記実施形態の濾過器では、複数のコイルフィルタを備えたコイルフィルタ部を配置したが、前記コイルフィルタを複数まとめたコイルフィルタ部とすることは条件ではない。
また、複数のコイルフィルタを備えたコイルフィルタ部を容器内の上部と下部との２段に配置したが、コイルフィルタを容器内の上下部に２段の段をなすように配置することにも限定されず、例えば、上部、中部、下部の３箇所あるいはそれ以上の複数段にコイルフィルタが配置されていてもよい。
このように容器内の上下方向において３段以上の箇所にコイルフィルタが配置されている場合に、前記傾斜板が配置される位置は、少なくとも上下に配置されたいずれかのコイルフィルタの間の位置であればよい。
【００６０】
今回開示された実施の形態はすべての点で例示であって制限的なものではないと考えられるべきである。本発明の範囲は前記説明ではなくて特許請求の範囲によって示され、特許請求の範囲と均等の意味および範囲内でのすべての変更が含まれることが意図される。
【符号の説明】
【００６１】
１：濾過器、２：傾斜板、１７：集水部材、１８：気体分散体、１０：濾過装置。
【図１】
2013078745.tif 000003
【図２】
2013078745.tif 000004
【図３】
2013078745.tif 000005